(57)【要約】【課題】  コンクリート型枠に使用されるセパレータにおいて、折曲部になる部分を潰していないセパレータでも、容易に折り曲げることができるセパレータ折曲具を提供する。【解決手段】  セパレータの端部を挿入するための穴１４１，１４２，１４３，１４４と、該穴からの距離を変更可能な角度規制部材１６０と、該角度規制部材の前記穴からの距離を変更する移動部材としてのネジ軸１５０と、を有する。ネジ軸１５０をつまみ１５５で回転することで、角度規制部材１６０を図１の左右方向に移動して折曲角度を変更することができる。穴１４１，１４２，１４３，１４４を複数設けることで、径の異なるセパレータでも利用可能となる。【選択図】      図１
2007278035.tif 000002
【特許請求の範囲】
【請求項１】
セパレータの端部を挿入するための穴と、該穴からの距離を変更可能な角度規制部材と、該角度規制部材の前記穴からの距離を変更する移動部材と、を有することを特徴とするセパレータ折曲具。
【請求項２】
前記穴が、セパレータの端部に形成された所定の長さの雄ネジの長さより若干深いことを特徴とする請求項１に記載のセパレータ折曲具。
【請求項３】
前記セパレータの端部を挿入するための穴が複数あり、各穴と前記角度規制部材との距離が相違することを特徴とする請求項１又は２に記載のセパレータ折曲具。
【請求項４】
前記複数の穴が、径の異なるものを含むことを特徴とする請求項３記載のセパレータ折曲具。
【発明の詳細な説明】
【技術分野】
【０００１】
本発明はコンクリート型枠の形成時に使用されるセパレータに関し、特に、セパレータを折り曲げるための工具に関する。
【背景技術】
【０００２】
型枠形成工事においては、向かい合う２つの型枠の間に、型枠同士の間隔を保持するためのセパレータを取り付けるのが一般的である。このセパレータは型枠組み立て時に型枠の間隔を一定に保持するのと同時に、型枠内にコンクリートを打設した時にコンクリートの圧力で間隔が広がらないようにする役割もある。このようなセパレータは型枠に垂直に取り付けられるのが原則であった。
【０００３】
しかしながら、コンクリート壁の中には、壁の厚さが一定でないものがある。たとえば、壁の下部では厚く、上部では薄い壁を打設する場合がある。この場合、一方の型枠が垂直に立って、他方の型枠が傾斜しているか、あるいは、両方の型枠が共に傾斜したものとなる。いずれにしても、相対向する型枠が平行ではないので、従来の真っ直ぐなセパレータでは、型枠に垂直に取り付けることができない。そのため、自在プラコン、自在ワッシャ及びキャンバといった特殊な材料を使用して複雑な取り付け方をしなければならない。
【０００４】
このような事実から、特許文献１（特許第３７０７６１４号）では、傾斜した型枠でも、垂直に取り付けられるように折り曲げたセパレータと、この折り曲げたセパレータを固定可能な横引き固定プラコンとを提案している。
【０００５】
図９は、特許文献１に記載されたセパレータと、横引き固定プラコンを使用して組み立てた型枠の例を示す正面図である。型枠２０は地面に対して垂直に立てられているが、型枠２６は上に行くほど型枠２０との間隔が狭くなるように斜めに組み立てられている。
【０００６】
このような型枠を組み立てるには、次のようになる。まず、セパレータ１の一方に横引き固定プラコン５に取り付け、他方に通常のプラコン５’を取り付ける。そして、図９に示すように、型枠２０に横引き固定プラコン５を取り付け、型枠２６に通常のプラコン５’を取り付ける。このように取り付けるため、予めセパレータ１は、横引き固定プラコン５に近い位置の折曲部４で折り曲げる。セパレータ１は、折り曲げ易いように折曲部４に当たる部分が平らに潰されているものを使用している。取り付け後のセパレータ１は、型枠２０と２６の双方に垂直になるようにする。
【０００７】
その後は、型枠２０，２６に孔を開けてプラコン５，５’の雄ネジ軸を貫通させ、型枠２０，２６の外側からフォームタイ軸２１を雄ネジ軸に螺合させるとともに型枠２０，２６の内側から横引き固定プラコン５の釘孔に釘を打って型枠に固定し、必要ならば立桟木２４を型枠２０，２６に取りつけて、横パイプ２５を立桟木２４とパイプ締め付け座金２２との間に通して六角ナット２３で締め付け固定する。
【０００８】
このように、本発明のセパレータ１及び横引き固定プラコン５を使用すると、向かい合う型枠２０，２６同士が平行でない場合であっても、自在プラコン、自在ワッシャ及びキャンバといった特殊な材料が不要となるので、無駄な作業が減り、全体の作業時間の短縮が可能となる。また、この特許文献２に記載の横引きプラコンであれば、型枠が９０゜になっている箇所でも、セパレータを９０゜に折り曲げることで使用することが可能である。
【特許文献１】特許第３７０７６１４号
【発明の開示】
【発明が解決しようとする課題】
【０００９】
上記特許文献１では、セパレータ１を折り曲げ易くするために、折曲専用のセパレータが必要である。すなわち、折曲部４になる予定の部分を、平らに潰したセパレータを使用するのである。丸いセパレータは曲げ難いが、板状になった部分は曲げ易いので、型枠の組立工事現場で、特に専門の道具を使用しなくても折り曲げることが可能となる。
しかし、そのために折曲専用のセパレータを用意していなければならず、セパレータの在庫管理が複雑になるという問題がある。
【００１０】
本発明は、この問題を解決するためのもので、折曲部になる部分を潰していない通常のセパレータでも、容易に折り曲げることができるセパレータ折曲具を提供することを目的としている。
【課題を解決するための手段】
【００１１】
上記の目的を達成するために本発明のセパレータ折曲具は、セパレータの端部を挿入するための穴と、該穴からの距離を変更可能な角度規制部材と、該角度規制部材の前記穴からの距離を変更する移動部材と、を有することを特徴としている。
【００１２】
前記穴が、セパレータの端部に形成された所定の長さの雄ネジの長さより若干深い構成としたり、前記セパレータの端部を挿入するための穴が複数あり、各穴と前記角度規制部材との距離が相違する構成としたり、前記複数の穴が、径の異なるものを含む構成としたり、前記穴の内面にセパレータの滑止を設けた構成としたり、前記移動部材の位置を示す目盛りを備え、該目盛りによってセパレータの折曲角度を示す構成とすることができる。
【発明の効果】
【００１３】
セパレータの端部に形成された雄ネジをセパレータ折曲具の穴に差し込み、手或いは中空のパイプを挿入して長く延長した状態で折り曲げる。セパレータが角度規制部材に当接するまで折り曲げることで、複数のセパレータを同じ角度に折り曲げることができる。角度規制部材を移動することで、穴と角度規制部材との距離が変わるので、折り曲げ角度を所望の角度に変えることができる。折り曲げ角度を示す目盛りを設けていると、容易に所望の角度に折り曲げることができる。
【００１４】
穴がセパレータの端部に形成された所定の長さの雄ネジの長さより若干深い構成とすることで、セパレータを雄ネジで折り曲げてネジを損傷したり、雄ネジの端部にあるネック部で折り曲げて折損することがなく、しかも、セパレータの端部近くで確実に折り曲げることができる。
【００１５】
セパレータを挿入する穴が複数あり、各穴と前記角度規制部材との距離が相違する構成とすることで、折り曲げ角度を大きく変化させることができる。
【００１６】
複数の穴を設け、穴の径を異なるものとすることで、太さの異なるセパレータを折り曲げることができる。
【００１７】
穴に前記穴の内面にセパレータの滑止を設けることによって、セパレータを折り曲げるときのセパレータの滑りを防止して所望の位置で確実に曲げることができる。
【発明を実施するための最良の形態】
【００１８】
以下、本発明の実施の形態を添付図面を参照して説明する。図１は、本発明のセパレータ折曲具の平面図で、図２は図１のＡ−Ａ線断面図である。図３は、図２のＢ−Ｂ線断面図で、図４は図２のＣ−Ｃ線断面図である。図５は下枠体の図で（ａ）は平面図、（ｂ）は（ａ）のＤ−Ｄ線断面図、（ｃ）は側面図である。図６は上枠体の図で、(ａ）は平面図、（ｂ）は（ａ）のＥ−Ｅ線断面図、（ｃ）は側面図である。
【００１９】
これらの図に示すように、本発明のセパレータ折曲具１００は、基板１１０と、この上に配置される下枠体１２０と、上枠体１３０と、これらの上に固定される本体部１４０と、下枠体１２０と上枠体１３０の間に設けられた移動部材としてのネジ軸１５０と、このネジ軸１５０に螺合する角度規制部材１６０とを有する。下枠体１２０，上枠体１３０，本体部１４０は、後述するが、重なり合う６個の通し孔を有し、これにビス１７０を通すことで、基板１１０に締め付けて結合できるようになっている。
【００２０】
基板１１０は、四角の板状であり、上下の辺に３カ所ずつ通し孔１１１があり、この通し孔にビスや釘を通してセパレータ折曲具１００を別の木材等に固定するためのものである。基板１１０は、鋼鉄や鋳物などの金属製でもよいが、プラスチック製とすることができる。また、ビス１７０に対応する位置には、雌ネジ孔が形成されている。
【００２１】
下枠体１２０は、図５に示すように、全体として直方体形状で、角度規制部材１６０の下端部が移動するための凹部空間１２１と、この凹部空間１２１の両側に、ネジ軸１５０の細径部１５２，１５３の軸受部１２２，１２３となる半円形の凹部が形成されている。また、周辺に６個の通し孔１２４が穿設されている。この下枠体１２０も金属製に限定されず、プラスチックの成型品とすることができる。
【００２２】
上枠体１３０は、下枠体１２０の上に重ねられるものであるが、図６に示すように、角度規制部材１６０の下部が移動可能な空間１３１と、この空間１３１の両側にネジ軸１５０の細径部１５２，１５３を支持する半円形の凹部からなる軸受部１３２，１３３を有する。軸受部１３２，１３３は、下枠体１２０の軸受部１２２，１２３と共にネジ軸１５０の軸受を構成する。上枠体１３０の上面には、本体部１４０を収容する凹部１３４があり、周囲には、下枠体１２０の通し孔１２４と重なる位置に、６個の通し孔１３７がある。また、上枠体１３０の上面には、目盛り１３５，１３６が刻まれている。これは、セパレータの折り曲げ角度を示す目盛りである。
【００２３】
ネジ軸１５０は図２に示すように、先端側に雄ネジ１５１が形成され、これが角度規制部材１６０の雌ネジ１６１と螺合している。ネジ軸１５０の先端には細径部１５２があり、基端側にも別の細径部１５３がある。そして、先端の細径部１５２が、下枠体１２０の軸受部１２２と上枠体１３０の軸受部１３２とに上下から挟まれることで回動自在に支持される。もう一方の細径部１５３は、下枠体１２０の軸受部１２３と、上枠体１３０の軸受部１３３とによって上下から挟まれ、回動自在に支持される。細径部１５３の両端には段差があり、軸受部にもこれに対応した段差があるので、ネジ軸１５０のスラスト方向の動きを止めることができる。ネジ軸１５０の基端は、つまみ１５５の穴に嵌合し、つまみ１５５に設けられた押しネジ１５６で固定されている。つまみ１５５を回転することで、角度規制部材１６０は、ネジ軸１５０の軸方向に進退できることになる。
なお、本発明の実施例では、移動部材としてネジ軸１５０を使用しているが、ネジ以外の多様な手段を使用することができる。
【００２４】
本体部１４０は図１、図２に示すように、４つの貫通した穴１４１，１４２，１４３，１４４を有し、四隅にビス１７０用の通し孔を有する。穴１４１，１４２は、土木用の太いセパレータ用の穴で、穴１４４，１４４は建築用の細いセパレータ用の穴である。各穴は、本体部１４０を貫通しており、上枠体１３０で底部を塞がれている。各穴１４１，１４２，１４３，１４４は、下側にセパレータの雄ネジと係合してセパレータの滑りを防止する滑止としての雌ネジを形成している。
【００２５】
図７はセパレータの一端側を示す図である。セパレータ１は、その端部に雄ネジ１ａが刻設されている。セパレータ１の図１に示したのと反対側の端部にも同様の雄ネジ１ａが設けられている。セパレータ１には、土木用のものと建築用のものとがあり、セパレータ１の径は、土木用の方が若干太くなっている。また、セパレータ１の雄ネジ１ａの長さは土木用と建築用のもののそれぞれで均一である。本体部１４０の穴１４１，１４２，１４３，１４４の深さは、このセパレータ１の雄ネジ１ａの長さより２〜４ｍｍ程度深い。
【００２６】
図示の実施例では、穴１４１，１４２，１４３，１４４には滑止１４５としての雌ネジを形成しているが、滑止１４５の上方に無ネジの部分を設け、セパレータ１の雄ネジ１ａに続く無ネジ部分が２〜４ｍｍ程度穴１４１，１４２，１４３，１４４の内部に進入できるようにする。こうすることで、セパレータ１を折り曲げたとき、雄ネジ１ａを曲げて潰したり、雄ネジ１ａと無ネジ部との中間のネック部で折り曲げで折損しないようにすることができる。雌ネジの深さは、セパレータの雄ネジ１ａの長さより長くても短くてもよい。滑止１４５は雌ネジに限定されるものではない。
【００２７】
本体部１４０、上枠体１３０、下枠体１２０は、６本のビス１７０で基板１１０に形成された雌ネジに締付固定される。また、基板１１０は、その周囲に開けられた６個の孔１１１に釘やビスを通すことで、図示しない別の木材などに固定することができる。本体部１４０は、セパレータ１を曲げる力を受ける部分なので、鋼鉄或いは鋳鉄などの金属製が望ましい。
【００２８】
角度規制部材１６０は、図１、図２に示すように、下端に四角柱を横にしたボス部１６２があり、この中心に雌ネジ１６１が貫通形成されている。ボス部１６２には、上方に延びる四角柱状の支柱１６３が連設されており、この支柱１６３の先端に角度規制板１６４を一体成形している。この角度規制板１６４もプラスチック製とすることができる。つまみ１５５を回転すると移動部材としてのネジ軸１５０が回転し、角度規制部材１６０を移動することができることになる。
【００２９】
図８は、本発明のセパレータ折曲具１００の使用状態を示す図である。セパレータ１の一端にある雄ネジ１ａを本体部１４０の穴１４１，１４２，１４３，１４４のいずれかに挿入し、セパレータ１の他端を掴み、角度規制部材１６０に向けて曲げる。セパレータ１が短い場合は、パイプを差し込んで長さを足すことで、容易に曲げることができる。図８の実線に示すセパレータ１は、穴１４１を使用した状態である。セパレータ１が建築用の細いものであれば、穴１４４を使用することになる。
【００３０】
セパレータ１は、端部の雄ネジ１ａの全部と、これに続く無ネジ部分が若干の長さだけ穴１４１内に進入した状態で、先端が穴１４１の底に当たる。その後、セパレータ１の反対側端部を手で掴みセパレータ１が角度規制部材１６０に当たるまで折り曲げるが、穴１４１の深さが雄ネジ１ａの長さより若干深いので、セパレータ１は、雄ネジ１ａに続く無ネジ部分で折り曲げられることになり、雄ネジ１ａ部分で曲がったり、ネック部分で曲がって折損したりすることがなく、セパレータ１の端部近くを折り曲げることができる。このときの折り曲げ角度はαとなる。また、このとき雄ネジ１ａが滑止１４５と係合して滑りが止まり、所望の位置でセパレータ１を曲げることができる。また、滑止１４５の内径は穴１４１，１４２，１４３，１４４の径と同じ径で、穴１４１，１４２，１４３，１４４の径はセパレータ１の最も太い部分の径（通常は雄ネジ１ａである）より若干大きいので、曲げた後のセパレータ１を簡単に抜き出すことができる。
【００３１】
仮想線で示すセパレータ１は、穴１４２を使用した場合である。穴１４１を使用した場合と同様にして折り曲げる。角度規制部材１６０が同じ位置にあれば、穴１４２は穴１４１より角度規制部材１６０から離れた位置になるので、穴１４１を使用するより大きく曲げることができる。このときの折り曲げ角度をβとすると、β＞αとなる。
【００３２】
α、βの角度は、角度規制部材１６０の位置で変化し、角度規制部材１６０の位置は、移動部材としてのネジ軸１５０をつまみ１５５で回すことによって、変化する。そこで、上枠体１３０の上面に、目盛り１３５，１３６を形成し、αとβの角度を予め決めることができる。すなわち、目盛り１３５は、穴１４１又は穴１４４を使用した場合の角度αを示し、目盛り１３６は、穴１４２又は穴１４３を使用した場合の角度βを示すように刻設する。
【００３３】
セパレータ１を９０゜折り曲げる場合は、セパレータ１の雄ネジ１ａを穴１４１，１４２，１４３，１４４のいずれかに挿入し、角度規制部材１６０と反対側に折り曲げることにすればよい。この場合、本体部１４０自身が角度規制部材になる。
【００３４】
なお、本体部１４０の素材であるが、セパレータ１を折り曲げたとき、雄ネジ１ａを潰すおそれが多い場合、本体部１４０を銅などの鋼鉄より柔らかい金属製にすることで雄ネジ１ａを潰すことなく折り曲げることが可能となる。
【図面の簡単な説明】
【００３５】
【図１】本発明のセパレータ折曲具の平面図である。
【図２】図１のＡ−Ａ線断面図である。
【図３】図２のＢ−Ｂ線断面図である。
【図４】図２のＣ−Ｃ線断面図である。
【図５】下枠体の図で（ａ）は平面図、（ｂ）は（ａ）のＤ−Ｄ線断面図、（ｃ）は側面図である。
【図６】上枠体の図で、(ａ）は平面図、（ｂ）は（ａ）のＥ−Ｅ線断面図、（ｃ）は側面図である。
【図７】セパレータの一端部を示す図である。
【図８】本発明のセパレータ折曲具の使用状態を示す図である。
【図９】セパレータと横引き固定プラコンを使用して組み立てた型枠の例を示す正面図である。
【符号の説明】
【００３６】
１        セパレータ
１ａ      雄ネジ
１００    セパレータ折曲具
１１０    基板
１２０    下枠体
１３０    上枠体
１３５，１３６    目盛り
１４１，１４２，１４３，１４４    穴
１４５    滑止
１５０    ネジ軸（移動部材）
１６０    角度規制部材
【図１】
2007278035.tif 000003
【図２】
2007278035.tif 000004
【図３】
2007278035.tif 000005
【図４】
2007278035.tif 000006
【図５】
2007278035.tif 000007
【図６】
2007278035.tif 000008
【図７】
2007278035.tif 000009
【図８】
2007278035.tif 000010
【図９】
2007278035.tif 000011